(57)【要約】      （修正有）【課題】背部の傾斜角度如何に拘わらず、或いは長時間使用しても、初期の座り位置から位置ずれが生じ難い座椅子の提供。【解決手段】座部１と前記座部１に対して傾倒自在な背部２とを備えた座椅子において、前記座部１は座面中央に円穴３を有すると共に、当該座部１の垂直断面において上面側表層カバー部材４の直下に配設された低反発クッション部材５を有し、又、低反発クッション部材５は、座部１の垂直断面において円穴３の内周面側から座部１の外周面側１２にかけて配設されており、円穴３は座面１１側に向かって内径が次第に拡大する形状である。又、低反発クッション部材５は、座部１の垂直断面において円穴３の内周面側から座部の外周面側１２にかけて弧状に配設ている。【選択図】図１
2006000360.tif 000002
【特許請求の範囲】
【請求項１】
座部と前記座部に対して傾倒自在な背部とを備えた座椅子において、前記座部は座面中央に円穴を
有すると共に、当該座部の垂直断面において上面側表層カバー部材の直下に配設された低反発クッション部材を有することを特徴とする座椅子。
【請求項２】
低反発クッション部材は、座部の垂直断面において円穴の内周面側から座部の外周面側にかけて配設されたことを特徴とする請求項１に記載の座椅子。
【請求項３】
円穴は座面側に向かって内径が次第に拡大する形状であることを特徴とする請求項１又は請求項２に記載の座椅子。
【請求項４】
低反発クッション部材は、座部の垂直断面において円穴の内周面側から座部の外周面側にかけて弧状に配設されたことを特徴とする請求項２乃至請求項３の何れかに記載の座椅子。
【発明の詳細な説明】
【技術分野】
【０００１】
本発明は、座部と前記座部に対して傾倒自在な背部とを備えた座椅子に関するものである。
【背景技術】
【０００２】
この種の座椅子は、背部の傾斜度を好みに応じて比較的自由に変え座部に臀部を乗せて使用するものであるが、座部の座面が平面であるため、傾斜角度が４５度に近づく程、初期の据わり位置から臀部が座面上を滑って足先方向にずれて、座り心地に違和感が生じてきたり、場合によっては痛みが生じたりする。
特に、長時間の使用では、幾度も座り位置調整のために姿勢を正す必要があった。
【発明の開示】
【発明が解決しようとする課題】
【０００３】
本発明は、背部の傾斜角度如何に拘わらず、或いは長時間使用しても、初期の座り位置から位置ずれが生じ難い座椅子の提供を目的とする。
【課題を解決するための手段】
【０００４】
請求項１の座椅子の発明は、座部と前記座部に対して傾倒自在な背部とを備えた座椅子において、前記座部は座面中央に円穴を有すると共に、当該座部の垂直断面において上面側表層カバー部材の直下に配設された低反発クッション部材を有することを特徴とする。
【０００５】
請求項２の発明は、請求項１に記載の座椅子において、低反発クッション部材は、座部の垂直断面において円穴の内周面側から座部の外周面側にかけて配設されたことを特徴とする。
【０００６】
請求項３の発明は、請求項１又は請求項２に記載の座椅子において、円穴は座面側に向かって内径が次第に拡大する形状であることを特徴とする。
【０００７】
請求項４の発明は、請求項２乃至請求項３の何れかに記載の座椅子において、低反発クッション部材は、座部の垂直断面において円穴の内周面側から座部の外周面側にかけて弧状に配設されたことを特徴とする。
【発明の効果】
【０００８】
請求項１の発明によれば、座部の座面に臀部が落ち込む円穴を設けてあるので、座面に対する臀部の前後左右方向（ここで前方とは足先方向をいう）の位置連れを防止することができると共に、当該座面の表層カバー部材の直下に低反発クッション部材が配設してあるので、臀部の形状に相応した形状で臀部を座部に受けることができ、これによって更に位置ずれを防止することができると共に初期の座り心地を長時間にわたって保持することができる。
【０００９】
請求項２の発明によれば、低反発クッション部材を円穴の内周面側から座部の外周面側にかけて配設してあるので、臀部が座面からはみ出すほどの大きさであっても、請求項１の発明による作用効果を発揮させることができる。
又、座部を枕として使用する際に、後頭や後首側を低反発クッション部材がその形状に相応した形状で受けるので、枕として心地よく用いることができる。
【００１０】
請求項３の発明によれば、円穴は座面側に向かって内径が次第に拡大する形状としてあるので、円穴の上端側の縁が無用に臀部に当らず、心地よい据わり感触を得ることができる。
【００１１】
請求項４の発明によれば、低反発クッション部材が円穴の内周面側から座部の外周面側にかけて弧状に配設されているので、座面に対する垂直方向のクッション性を高めることができると共に、臀部の先後左右のずれを効果的に防止することができる。
【発明を実施するための最良の形態】
【００１２】
以下、本発明を座部と前記座部に対して傾倒自在な背部とを備えた座椅子の実施形態を例にして説明する。
【実施例】
【００１３】
実施例に示す図１は座椅子の一部切欠斜視図、図２は座椅子の一部断面の拡大端面図である。
図１において、符号の１は座部、２は前記座部１に対して背部１が垂直状態から水平状態の範囲で自在に角度調整可能な傾倒自在な背部である。
【００１４】
図１において、この座部１には、座面１１の中央に垂直上下方向に貫通する円穴３が設けられている。この円穴３は座部１の座面１１に乗せられる臀部が、少なくともその臀部の中央が浅く落ち込む穴或いは有底の窪み（以下これらを総称して円穴ともいう）を設けて、座面１１に対する臀部の前後左右方向（ここで前方とは足先方向をいう）の位置連れを防止させている。
【００１５】
図示の円穴３は、穴の内部側から座面１１側に向かって内径が次第に拡大するいわゆるラッパ形状として、
円穴３の上端側の縁即ち開口縁部３１が無用に臀部に当らず、心地よい据わり感触が得られるように形成している。勿論、円穴３の上端側の開口縁部（縁）３１は図示の形状に限られない。
尚、図中の符号４は、座部１の座面１１の表面を覆う布製或いは樹脂製の上面側表層カバー部材である。
【００１６】
図１及び図２に示すように、座部１の垂直断面において、上面側表層カバー部材４の直下には、通常の反発力を備えた一般的なクッション部材としてのウレタンフォームではなく、通従よりは弱い抑制された反発力を備えた低反発クッション部材５を配設、例えば低反発ウレタンフォームを敷き詰めている。
これにより、臀部の形状に相応した形状で臀部を座部１に受けることができるので、更に位置ずれを防止することができると共に初期の座り心地を長時間にわたって保持することができる。
【００１７】
又、低反発クッション部材５は、座部１の垂直断面において円穴３の内周面側、例えば、図示されていない臀部が触れる円穴３の上端側の開口縁部（縁）３１側から座部１の外周面側１２にかけて配設するとよい。
これにより、臀部が座面１１からはみ出すほどの大きさであっても、座部１の外周面側１２において、臀部の形状に相応した形状で臀部を座部１に受けることができるので、位置ずれを防止きるし、初期の座り心地を比較的長時間にわたって保持することもできる。
【００１８】
又、座部１を枕として使用する際に、後頭や後首側を低反発クッション部材５がその形状に相応した形状で
座部１の外周面側１２が受けるので、枕として心地よく用いることができる。
【００１９】
更に、この例に示す低反発クッション部材５は、座部１の垂直断面において円穴３の内周面側（３１）から座部１の外周面側１２にかけて、その長さ方向の中央が高く全体として弧状となるように配設してある。
これにより、座部１の座面１１に対する垂直方向のクッション性を高めることができるだけでなく、臀部の先後左右方向のずれを更に効果的に防止することができる。
【００２０】
図1及び図２において、符号の６は中層クッション部材であり、座部１の垂直断面において、低反発クッション部材５の直下に配設される部材であって、座部１の形態を保つ基本部分をなす。
従って、低反発クッション部材５は、この中層クッション部材６の上面側を覆うように配設される部材であるから当該中層クッション部材６の断面形状を所望の形に成形しておけば、低反発クッション部材５は適当な厚みを均等にもつシート状部材であっても良い。
【００２１】
例えば、図示の如く、中層クッション部材６の断面形状を楕円形にしておけば、その中層クッション部材６の外表面を上下に２分割した領域の上面側に均等の厚さのシート状低反発クッション部材５を重ねて接着するだけで、低反発クッション部材５を円穴３の上端側の開口縁部（縁）３１側から座部１の外周面側１２にかけて配設することができるし、座部１の垂直断面において円穴３の内周面側（３１）から座部１の外周面側１２にかけて、その長さ方向の中央が高く全体として弧状となるように配設することもできる。
尚、上記の中層クッション部材６としては、低反発クッション部材５や後述の一般的なウレタンフォームより硬質のクッション部材として、例えば、使用済みのウレタンフォームをチップ上にして固めたいわゆるチップフォームを用いている。
【００２２】
図1及び図２において、符号の７は座部１の骨格を成すフレームパイプであり、このフレームパイプ７は、円穴３を巡るように中層クッション部材５中に還状に配設されている。一般にこのフレームパイプ７は金属製のものを用いるため、垂直断面において、中層クッション部材５の下部側に配設する方が、臀部にフレームパイプ７の存在を感じさせない点で好ましい。
尚、符号８は座部1の副骨格を成すテープであり、還状のフレームパイプ７の一部間に緊張させた状態にて張り設けている。
【００２３】
更に、図1及び図２において、符号９は座部１の底面側即ちこの例では、中層クッション部材５の外表面を上下に２分割した領域の下面側に配設された下層側クッション部材であり、この下層側クッション部材９としてはこの例では、通常の反発力を備えた一般的なクッション部材としてのウレタンフォームを用いている。
こうして、上記中層クッション部材５は上半分の上面側が低反発クッション部材５で、下半分の下面側が一般的なクッション部材としてのウレタンフォームで覆われている。
【産業上の利用可能性】
【００２４】
本発明は、背部の傾斜度を好みに応じて比較的自由に変え座部に臀部を乗せて使用する座椅子において効果的に利用できる。
【図面の簡単な説明】
【００２５】
【図１】座椅子の一部切欠斜視図である。
【図２】座椅子の一部断面の拡大端面図である。
【符号の説明】
【００２６】
１    座部
２    背部
３    円穴
４    上面側表層カバー部材
５    低反発クッション部材
１１  座面
１２  外周面側（座部）
３１  開口縁部（円穴の縁）
【図１】
2006000360.tif 000003
【図２】
2006000360.tif 000004